(57)【特許請求の範囲】
【請求項１】
画像データを表示する表示部と、移動に伴って切り替えられる通信可能な基地局を運営するネットワーク事業者を判別する事業者判別手段と、前記表示部に壁紙を表示中か否かを判別する壁紙判別手段と、前記事業者判別手段により判別した事業者名を前記壁紙判別手段の判別結果に応じて位置を可変して前記表示部に表示する事業者表示手段とを備えたことを特徴とする携帯電話機。
【請求項２】
壁紙の非表示時に事業者名を前記表示部の中央部に配置するとともに、壁紙の表示中に事業者名を前記表示部の周部に配置したことを特徴とする請求項１に記載の携帯電話機。
【請求項３】
前記事業者表示手段によって、事業者名の表示エリアに所定の色から成る背景を設けたことを特徴とする請求項１または請求項２に記載の携帯電話機。
【請求項４】
前記事業者表示手段によって、事業者名の表示エリア内の壁紙の表示色に応じて事業者名の表示色を可変したことを特徴とする請求項１または請求項２に記載の携帯電話機。
【請求項５】
前記表示エリアの画素毎に事業者名の表示色を壁紙の表示色の反転色にしたことを特徴とする請求項４に記載の携帯電話機。
【発明の詳細な説明】
【０００１】
【発明の属する技術分野】
本発明は、基地局と無線通信を行う携帯電話機に関し、特に、受信の待受画面として写真、ピクチャ等の画像データから成る壁紙を表示部に表示できる携帯電話機に関する。
【０００２】
【従来の技術】
海外での携帯電話機はグローバルサービスによって複数の国で通信可能になっている。グローバルサービスは、複数のネットワーク事業者が基地局を設置し、通信網を分担してサービスを提供する。このため、ユーザーが使用する携帯電話機がどこのネットワーク事業者のサービス圏内にあるかが通信待ちの待受画面として表示装置に常時表示される。これにより、ユーザーの携帯電話機が接続されるネットワーク事業者をユーザーが把握できるようになっている。
【０００３】
【発明が解決しようとする課題】
しかしながら、図７に示すように、表示装置５に写真やピクチャ等の画像データから成る壁紙１０を待受画面として表示している際には、壁紙１０とネットワーク事業者名９１とが重なって表示される。このため、壁紙１０及びネットワーク事業者名９１の視認性が悪くなる問題があった。
【０００４】
本発明は、壁紙及びネットワーク事業者名の視認性を向上することのできる携帯電話機を提供することを目的とする。
【０００５】
【課題を解決するための手段】
上記目的を達成するために本発明は、画像データを表示する表示部と、移動に伴って切り替えられる通信可能な基地局を運営するネットワーク事業者を判別する事業者判別手段と、前記表示部に壁紙を表示中か否かを判別する壁紙判別手段と、前記事業者判別手段により判別した事業者名を前記壁紙判別手段の判別結果に応じて位置を可変して前記表示部に表示する事業者表示手段とを備えたことを特徴としている。
【０００６】
この構成によると、複数のネットワーク業者の各サービス圏内をユーザーが移動すると接続可能なネットワーク業者が変遷し、サービス圏内にあるネットワーク業者名が表示部に表示される。この時、表示部に壁紙が表示されている場合と表示されていない場合でネットワーク業者名の表示位置が可変される。
【０００７】
また本発明は、上記構成の携帯電話機において、壁紙の非表示時に事業者名を前記表示部の中央部に配置するとともに、壁紙の表示中に事業者名を前記表示部の周部に配置したことを特徴としている。
【０００８】
また本発明は、上記構成の携帯電話機において、前記事業者表示手段によって、事業者名の表示エリアに所定の色から成る背景を設けたことを特徴としている。この構成によると、所定の背景色の事業者名の表示エリアが壁紙上に重なるように表示され、該表示エリア内に事業者名が表示される。
【０００９】
また本発明は、上記構成の携帯電話機において、前記事業者表示手段によって、事業者名の表示エリア内の壁紙の表示色に応じて事業者名の表示色を可変したことを特徴としている。この構成によると、例えば、事業者名の表示エリア内の壁紙が全体的に明るい画像であれば事業者名は暗い色で表示され、事業者名の表示エリア内の壁紙が全体的に暗い画像であれば事業者名は明るい色で表示される。
【００１０】
また本発明は、上記構成の携帯電話機において、前記表示部の画素毎に事業者名の表示色を壁紙の表示色の反転色にしたことを特徴としている。この構成によると、例えば、事業者名の表示エリア内の壁紙の一画素が赤色で表示される場合は、その上に重なる事業者名の一画素が反転色である水色で表示される。
【００１１】
【発明の実施の形態】
以下に本発明の実施形態を図面を参照して説明する。説明の便宜上、従来例の図７と同一の部分については同一の符号を付している。図１は一実施形態の携帯電話機の構成を示すブロック図である。携帯電話機１は中央演算装置４に通信装置３、表示装置５、キー入力装置４１、音声入力装置４２、音声出力装置４３、ＲＡＭ６、ＲＯＭ７及びデジタル画像撮影装置８を接続して構成される。中央演算装置４によって上記各部が制御される。
【００１２】
通信装置３はネットワーク業者の基地局２との間で通信を行う。基地局２は各国で異なるネットワーク事業者が運営し、ユーザーが移動すると通信可能な基地局２が変遷して異なるネットワーク業者からサービスをうけることができるようになっている。
【００１３】
表示装置５は液晶パネルから成り、通信情報や待受画面としての壁紙を表示することができる。キー入力装置４１は複数のキーを備え、ユーザーの操作により電話番号等の個人情報データの入力や表示装置５に表示する壁紙の設定等を行うことができる。
【００１４】
音声入力装置４２はユーザーの音声を捉えて通信装置３に出力し、音声出力装置４３は受信した相手の音声等を発してユーザーに伝える。デジタル画像撮影装置８は撮影レンズ及び撮像素子を備え、被写体像を捉えて画像データを形成する。形成された画像データは後述するＲＡＭ６に記憶できるようになっている。
【００１５】
書換え可能なＲＡＭ６は演算の一時記憶を行うとともに、壁紙表示フラグ６１、壁紙データ６２、個人情報データ６３等のデータを記憶する。壁紙表示フラグ６１は値が１か０かによって表示装置５に壁紙が表示されているか否かを表わす。壁紙データ６２はデジタル画像撮影装置８やインターネット等を介してユーザーが取得し、壁紙として表示可能な画像データから成る。個人情報データ６３はいわゆる電話帳であり、ユーザーにより入力された個人氏名、電話番号、メールアドレス、グループ分け等のデータから成る。
【００１６】
読み出し専用のＲＯＭ７には携帯電話機１を駆動する各種のプログラムやデータベース等が格納される。壁紙設定プログラム７１は表示装置５に表示する壁紙をユーザーの操作により設定する。壁紙表示プログラム７２は壁紙設定プログラム７１により設定した壁紙を表示装置５に表示する。ネットワーク事業者名判定プログラム７３は通信装置３を介して接続可能な基地局２を運営するネットワーク事業者を判別する。
【００１７】
ネットワーク事業者名表示プログラム７４は現在通信できる基地局２を運営するネットワーク事業者名を表示装置５に表示する。壁紙データ７５は携帯電話機１の出荷時に予め壁紙として記憶された画像データから成る。ネットワーク事業者名データ７６は、グローバルネットワークにより接続可能な各国のネットワーク事業者名のデータベースから成っている。
【００１８】
上記構成の携帯電話機１の動作を図２のフローチャートを参照して説明する。携帯電話機１の電源を入れると、ステップ＃１１で壁紙表示フラグ６１が０か１かによって表示装置５に待受画面として壁紙１０を表示する設定になっているか否かが判断される。
【００１９】
壁紙表示フラグ６１が１の場合は、ステップ＃１２に移行して登録された壁紙が壁紙表示プログラム７２によって表示装置５に表示される。壁紙表示フラグ６１が０の場合はステップ＃１３で壁紙表示プログラム７２によって壁紙１０が非表示になる。
【００２０】
ステップ＃１４では、後述する壁紙設定処理の割込みがあったか否かが判断される。割込みがあった場合はステップ＃１１に戻り、壁紙１０の表示設定を判別する。割込みがない場合はステップ＃１５に移行し、通信装置３が基地局２から電波を受信して通信の接続を確立する。複数の基地局２からの電波を受信した場合には最も電波の強い基地局２を選択して通信を接続する。
【００２１】
ステップ＃１６では、携帯電話機１がいずれかの基地局２のサービス圏内にあり、基地局２との通信の接続が確立できたかどうかを判定する。通信の接続が確立できなかったときはステップ＃１７へ移行して、圏外表示の旨を表示装置５に表示する。その後、ステップ＃１４に戻って接続が確立されるまで定期的に通信の接続試行が実施される。
【００２２】
通信の接続が確立されるとステップ＃１８で接続中のネットワークサービス事業名をネットワーク事業者名判定プログラム７３により判定する。基地局２は通信装置３との接続が確立されている間、定期的に種々の情報を送信しており、基地局２を運営している各ネットワーク事業者に割り当てられたＩＤ番号も送信される。ＲＯＭ７に格納されたネットワーク事業者名データ７６内の各事業者のＩＤ番号と、基地局２から受信したＩＤ番号とを比較してネットワーク事業者名が判定される。
【００２３】
ステップ＃１９では、壁紙表示フラグ６１によって壁紙１０が表示されているか否かが判別される。壁紙１０が表示中の場合はステップ＃２０に移行する。ステップ＃２０では、図４に示すように、ネットワーク事業者名表示プログラム７４によってネットワーク事業者名９１及び日時９２が表示装置５の周部に配置される。ネットワーク事業者名９１及び日時９２の帯状の表示エリアは、ネットワーク事業者名９１及び日時９２の文字の背景が所定の色から成る背景色で塗りつぶされる。
【００２４】
ステップ＃１９で壁紙表示フラグ６１によって壁紙１０が非表示であると判別すると、ステップ＃２１に移行する。ステップ＃２１では、図５に示すように、ネットワーク事業者名表示プログラム７４によってネットワーク事業者名９１及び日時９２が表示装置５の中央部に配置される。そして、ステップ＃１４に戻り、ユーザーの移動によって接続される基地局２のネットワーク事業者が替わると該当するネットワーク事業者名９１及び日時９２が表示装置５に表示される。尚、ユーザーの選択により日時９２を非表示にすることができるようになっている。
【００２５】
図３は壁紙設定プログラム７１による壁紙設定処理の動作を示すフローチャートである。ユーザーがキー入力装置４１によって所定の操作をすると壁紙設定処理が呼出される。ステップ＃３１では壁紙表示フラグ６１によって壁紙１０が表示装置５に表示されているか否かが判別される。
【００２６】
壁紙１０が表示中の場合はステップ＃３２に移行し、ユーザーが壁紙表示を中止するよう操作したか否かが判断される。壁紙の表示を中止する場合は、ステップ＃３６で壁紙表示フラグ６１に０が代入されて壁紙設定処理を終了する。これにより、前述の図２において割り込み処理によってステップ＃１４の判断によりステップ＃１１に移行し、ステップ＃１３で壁紙１０が非表示になる。
【００２７】
ステップ＃３１の判断により壁紙１０が非表示の場合、及びステップ＃３２で壁紙１０を変更すると判断した場合はステップ＃３３に移行する。ステップ＃３３ではユーザーによってＲＡＭ６及びＲＯＭ７に記憶された壁紙データ６２、７５から所望の壁紙が選択される。
【００２８】
ステップ＃３４ではどの壁紙が選択されたかをＲＡＭ６に記憶して壁紙１０が登録される。ステップ＃３５では壁紙表示フラグ６１に１が代入されて壁紙設定処理を終了する。これにより、図２において割り込み処理によってステップ＃１４の判断によりステップ＃１１に移行し、ステップ＃１２で選択した壁紙１０が表示される。
【００２９】
本実施形態によると、壁紙１０の非表示時にはネットワーク事業者名９１及び日時９２を表示画面５の中央部に配置して視認性よく表示するとともに、壁紙１０の表示時にはネットワーク事業者名９１及び日時９２を表示装置５の周部に配置して、壁紙１０の視認性の低下を抑制することができる。
【００３０】
従って、壁紙１０の表示の有無に応じてネットワーク事業者名９１及び日時９２の表示位置を可変することにより、ネットワーク事業者名９１、日時９２及び壁紙１０を良好に視認することができる。
【００３１】
また、ネットワーク事業者名９１及び日時９２の表示エリアが所定の色から成る背景色で塗りつぶされるため、壁紙表示中のネットワーク事業者名９１及び日時９２の視認性を簡単に向上させることができる。ネットワーク事業者名９１及び日時９２の表示エリアの背景色によって壁紙１０が隠れて視認性が悪い場合には、図６に示すように、背景色を透明にしてもよい。
【００３２】
この時、ネットワーク事業者名９１及び日時９２の表示エリア内の壁紙の表示色に応じてネットワーク事業者名９１及び日時９２の表示色を可変することよりネットワーク事業者名９１及び日時９２の視認性を向上させることができる。例えば、表示エリア内の壁紙の平均の明るさが所定値よりも明るい場合は黒色や青色等の暗い色でネットワーク事業者名９１及び日時９２を表示し、平均の明るさが所定値よりも暗い場合は白色や黄色等の明るい色でネットワーク事業者名９１及び日時９２を表示することができる。
【００３３】
また、表示エリアの画素毎にネットワーク事業者名９１及び日時９２の表示色を壁紙１０の表示色の反転色にしてもよい。即ち、壁紙１０の表示色が白色の画素上のネットワーク事業者名９１及び日時９２の表示色を反転色である黒色とすることや、壁紙１０の表示色が赤色の画素上のネットワーク事業者名９１及び日時９２の表示色を反転色である水色（シアン）とすることができる。
【００３４】
また、表示装置５は白黒表示であってもよい。この場合、表示エリアの平均のグレーレベルが所定のグレーレベルよりも明るい場合はネットワーク事業者名９１及び日時９２の表示色を黒色にし、平均のグレーレベルが所定のグレーレベルよりも暗い場合はネットワーク事業者名９１及び日時９２の表示色を白色にすることができる。尚、画素毎にネットワーク事業者名９１及び日時９２の表示色を可変する場合は、グレーレベルを反転させても近似した色になるため、グレーレベルの階調に応じて各画素毎に白色または黒色で表示するとよい。
【００３５】
【発明の効果】
本発明によると、壁紙の表示の有無に応じてネットワークの事業者名の表示位置を可変することにより事業者名及び壁紙を良好に視認することができる。
【００３６】
また本発明によると、壁紙の非表示時には事業者名を表示画面の中央部に配置して視認性よく表示するとともに、壁紙の表示時には事業者名を表示装置の周部に配置して、壁紙の視認性の低下を抑制することができる。
【００３７】
また本発明によると、事業者名の表示エリアが所定の色から成る背景色で塗りつぶされるため、壁紙表示中の事業者名の視認性を簡単に向上させることができる。
【００３８】
また本発明によると、事業者名の表示エリア内の壁紙の表示色に応じて事業者名の表示色を可変することにより事業者名の視認性を容易に向上させることができる。
【００３９】
また本発明によると、事業者名の表示エリアの画素毎に事業者名の表示色を壁紙の表示色を反転色にするので、事業者名の視認性を容易に向上させることができる。
【図面の簡単な説明】
【図１】  本発明の実施形態の携帯電話機の構成を示すブロック図である。
【図２】  本発明の実施形態の携帯電話機の動作を示すフローチャートである。
【図３】  本発明の実施形態の携帯電話機の壁紙設定処理の動作を示すフローチャートである。
【図４】  本発明の実施形態の携帯電話機の壁紙表示時の表示画面を示す図である。
【図５】  本発明の実施形態の携帯電話機の壁紙非表示時の表示画面を示す図である。
【図６】  本発明の実施形態の携帯電話機の壁紙表示時の他の表示画面を示す図である。
【図７】  従来の携帯電話機の壁紙表示時の表示画面を示す図である。
【符号の説明】
１    携帯電話機
２    基地局
３    通信装置
４    中央演算装置
５    表示装置
６    ＲＡＭ
７    ＲＯＭ
８    デジタル画像撮影装置
１０    壁紙
４１    キー入力装置
４２    音声入力装置
４３    音声出力装置
６１    壁紙表示フラグ
６２、７５  壁紙データ
６３    個人情報データ
７１    壁紙設定プログラム
７２    壁紙表示プログラム
７３    ネットワーク事業者名判定プログラム
７３    ネットワーク事業者名表示プログラム
７６    ネットワーク事業者名データ
９１    ネットワーク事業者名
９２    日時
【図１】
0003897633.tif 000002
【図２】
0003897633.tif 000003
【図３】
0003897633.tif 000004
【図４】
0003897633.tif 000005
【図５】
0003897633.tif 000006
【図６】
0003897633.tif 000007
【図７】
0003897633.tif 000008